(57)【要約】【課題】多孔質吸音材の効果で小型化を図った能動型消音装置をレンジフードに適用した場合でも継続的な使用によりレンジフードが吸引した油煙が多孔質吸音材の多孔質性を損なうことを抑制する。【解決手段】能動型消音装置１０を備えたレンジフード１の通風路７の壁面９の少なくとも一面に粘土鉱物１４を備えた構成にすることにより、粘土鉱物１４の多孔質性により能動型消音装置１０を小型化することができ、また、レンジフード１が吸引した油煙が通風路７を通過する時に粘土鉱物１４の表面に油煙の成分である油分や水分が接触しても、粘土鉱物１４の中に油分や水分が浸透するため、粘土鉱物１４の表面に油分が堆積して多孔質性が損なわれることを抑制でき、消音効果の劣化を抑制することができるレンジフードを提供できる。【選択図】図１
2015025570.tif 000002
【特許請求の範囲】
【請求項１】
加熱調理器の上方に設置され、屋外に連通した吐出口と、調理時に発生する油煙を含んだ空気を吸い込む吸込口と、前記吐出口と前記吸込口を連通する通風路とを有するフードを備え、このフード内に空気を屋外に排気する送風機と、前記通風路内を伝播する騒音を消音する能動型消音装置を備えたレンジフードであって、前記能動型消音装置は、前記通風路の壁面に配置された音波を検知するマイクロホンと、音波を放出するスピーカを備え、前記通風路の前記壁面の少なくとも一面に音波の反射を低減する多孔質材を備え、前記多孔質材が粘土鉱物であることを特徴とするレンジフード。
【請求項２】
前記通風路を複数の小風路に分割する仕切り部材を備え、前記マイクロホンと前記スピーカが前記小風路それぞれに付設されたことを特徴とする請求項１に記載のレンジフード。
【請求項３】
前記仕切り部材の材質が粘土鉱物であることを特徴とする請求項２に記載のレンジフード。
【請求項４】
前記粘土鉱物を加熱する加熱手段を備えたことを特徴とする請求項１から３のいずれかに記載のレンジフード。
【発明の詳細な説明】
【技術分野】
【０００１】
本発明は、レンジフードの通風路に付設してレンジフード運転時に発生する騒音を消音するための能動型消音装置を備えたレンジフードに関するものである。
【背景技術】
【０００２】
台所に設置されるレンジフードは運転時に発生する騒音を低下することが求められている。このような課題を解決する手段の一つとして、レンジフード内の通風路に能動型消音装置を搭載するという方法が挙げられる。
【０００３】
従来、通風路用の能動型消音装置としては、図４に示すように、ダクト１０１内に伝搬する騒音を検知する第１センサ（リファレンスマイクロホン）１０２と、ダクト１０１内の消音状況を検知する第２センサ（エラーマイクロホン）１０３とを備え、リファレンスマイクロホン１０２及びエラーマイクロホン１０３の検知出力をＡ／Ｄ変換部を介してディジタル演算部に入力し、このディジタル演算部により制御されダクト内伝搬騒音に対して逆位相同音圧の音波をダクト１０１内にスピーカ１０４から放射することによってダクト１０１内の伝搬騒音を消音する能動型消音装置で、ダクト１０１の壁面１０５には例えばグラスウール等の多孔質吸音材１０６が充填され、この多孔質吸音材１０６の内周面にはガラスクロスを介在してパンチングメタルが設けられたものが知られている（例えば特許文献１参照）。
【０００４】
ダクト１０１の壁面１０５の音波の反射率が大きく、残響時間が長い場合、逆位相音波を生成する演算の時間が長くなり、その演算時間を確保するためには、リファレンスマイクロホン１０２とスピーカ１０４の距離を離す必要がある。上記特許文献１に記載の能動型消音装置は、騒音伝搬路であるダクト１０１の壁面１０５に多孔質吸音材１０６を内貼りしているため、壁面１０５での音波の反射が抑制され、残響時間が短くなり、逆位相音波の生成の演算時間を短縮することができ、リファレンスマイクロホン１０２とスピーカ１０４の距離を短くした構成にすることができ、能動型消音装置の小型化が可能となる。
【先行技術文献】
【特許文献】
【０００５】
【特許文献１】特開平９−１０６２９０号公報
【発明の概要】
【発明が解決しようとする課題】
【０００６】
しかし上記特許文献１に記載の能動型消音装置は、レンジフードに適用した場合、使用開始当初はグラスウールなどの多孔質吸音材１０６の効果で残響時間が短くなっているためリファレンスマイクロホン１０２とスピーカ１０４の距離を短くした小型の能動型消音装置でも消音効果を発揮することができるが、継続的な使用により、レンジフードが吸引した油煙がダクト１０１を通過する時にグラスウールなどの多孔質吸音材１０６の表面に付着する油分が堆積し、音波の反射を抑制する効果を維持できず、残響時間が長くなり、リファレンスマイクロホン１０２とスピーカ１０４の距離を短くした小型の能動型消音装置では消音効果が劣化してしまうという課題がある。
【０００７】
そこで本発明は、上記課題を解決するものであり、通風路に対して高い消音効果がある小型の能動型消音装置を備え、能動型消音装置の消音効果の劣化を抑制できるレンジフードを提供することを目的とする。
【課題を解決するための手段】
【０００８】
そして、本発明は上記目的を達成するために、加熱調理器の上方に設置され、屋外に連通した吐出口と、調理時に発生する油煙を含んだ空気を吸い込む吸込口と、吐出口と吸込口を連通する通風路とを有するフードを備え、このフード内に空気を屋外に排気する送風機と、通風路内を伝播する騒音を消音する能動型消音装置を備えたレンジフードであって、能動型消音装置は、通風路の壁面に配置された音波を検知するマイクロホンと、音波を放出するスピーカを備え、通風路の壁面の少なくとも一面に音波の反射を低減する多孔質材を備え、多孔質材が粘土鉱物であるレンジフードとするものであり、これによって所期の目的を達成するものである。
【発明の効果】
【０００９】
本発明によれば、通風路に対して高い消音効果がある小型の能動型消音装置を備え、能動型消音装置の消音効果の劣化を抑制できるレンジフードを提供することができる。
【図面の簡単な説明】
【００１０】
【図１】本発明の実施の形態１のレンジフードの側断面図
【図２】本発明の実施の形態２のレンジフードの側断面図
【図３】本発明の実施の形態３のレンジフードの側断面図
【図４】従来の能動型消音装置を示す側断面図
【発明を実施するための形態】
【００１１】
本発明の請求項１記載のレンジフードは、加熱調理器の上方に設置され、屋外に連通した吐出口と、調理時に発生する油煙を含んだ空気を吸い込む吸込口と、吐出口と吸込口を連通する通風路とを有するフードを備え、このフード内に空気を屋外に排気する送風機と、通風路内を伝播する騒音を消音する能動型消音装置を備えたレンジフードであって、能動型消音装置は、通風路の壁面に配置された音波を検知するマイクロホンと、音波を放出するスピーカを備え、通風路の壁面の少なくとも一面に音波の反射を低減する多孔質材を備え、多孔質材が粘土鉱物であるという構成を有する。
【００１２】
これにより、粘土鉱物の多孔質性により通風路の壁面での音波の反射が抑制され、残響時間が短くなり、逆位相音波の生成の演算時間を短縮することができ、リファレンスマイクロホンとスピーカの距離を短くした構成にすることができるため、能動型消音装置を小型化することができ、かつ、レンジフードが吸引した油煙が通風路を通過する時に粘土鉱物の表面に油煙の成分である油分や水分が接触しても、粘土鉱物の中に油分や水分が浸透するため、粘土鉱物の表面に油分が堆積して多孔質性が損なわれることを抑制でき、消音効果の劣化を抑制することができるという効果を奏する。
【００１３】
また、本発明の請求項２記載のレンジフードは、通風路を複数の小風路に分割する仕切り部材を備え、マイクロホンとスピーカが小風路それぞれに付設された構成にしても良い。
【００１４】
これにより、通風路の口径が小さくなり、高い周波数の音波でも通風路を伝ぱする音波が平面波となって能動型消音装置の消音の対象にすることができ、消音できる周波数の範囲を広くすることができるという効果を奏する。
【００１５】
また、本発明の請求項３記載のレンジフードは、仕切り部材の材質が粘土鉱物である構成にしても良い。
【００１６】
これにより、通風路を分割して構成される小風路それぞれの少なくとも一面を粘土鉱物にすることができるため、粘土鉱物を通風路に配置する構造を簡素にすることができるという効果を奏する。
【００１７】
また、本発明の請求項４記載のレンジフードは、粘土鉱物を加熱する加熱手段を備えた構成にしても良い。
【００１８】
これにより、粘土鉱物を加熱して粘土鉱物に浸透した油分が粘土鉱物内部で固化することを抑制し、下方に流出させることができるため、粘土鉱物の油分の浸透能力を維持することができ、長期にわたって消音効果の劣化を抑制することができるという効果を奏する。
【００１９】
（実施の形態１）
以下、本発明の実施の形態について、図１を参照しながら説明する。
【００２０】
図１に示すように、本実施の形態のレンジフード１は、屋外に連通した吐出口２と、調理時に発生する油煙を含んだ気流３を吸い込む吸込口４と整流板５を有するフード６と、フード６内に吐出口２と吸込口４を連通する通風路７と、空気を屋外に排気する送風機８を備え、通風路７の壁面９に能動型消音装置１０を備える。
【００２１】
整流板５は、油煙の捕集効率を向上するため、下方から上昇してきた油煙がフード６の前面側（図１の左側）からフード６の外側に漏れ出ないように、前面側から吸い込まれる風量が多くなるように配置されている。
【００２２】
能動型消音装置１０は、通風路７内を伝播する騒音を検出するリファレンスマイクロホン１１と、リファレンスマイクロホン１１によって検出された騒音とは逆位相の音を放出するスピーカ１２と、スピーカ１２から放出された音によって減衰した騒音を検出するエラーマイクロホン１３と、これらを接続してコントロールする演算制御器（図示せず）を備える。また通風路７の壁面９の一面に含水珪酸マグネシウム質の粘土鉱物１４を備えている。
【００２３】
上記構成により、調理時に送風機８を運転すると、下方から上昇してきた油煙を含む気流３がフード６の整流板５によって整流され、主にフード６の前面側から吸込口４へと吸い込まれ、通風路７を通って送風機８へと流れ込み、吐出口２から室外へと排気されると共に、送風機８から放出される騒音が通風路７を伝播し、能動型消音装置１０の消音効果により騒音は低減されて吸込口４から放出される。このとき、本実施の形態のレンジフード１は、粘土鉱物１４の多孔質性により通風路７の壁面９での音波の反射が抑制され、残響時間が短くなり、逆位相音波の生成の演算時間を短縮することができる。よってリファレンスマイクロホン１１とスピーカ１２の距離を短くした構成にすることができるため、能動型消音装置１０を小型化し、レンジフード１の大きさを小型化することができる。
【００２４】
また、レンジフード１が吸引した油煙が通風路７を通過する時に粘土鉱物１４の表面に油煙の成分である油分や水分が接触しても、粘土鉱物１４の中に油分や水分が浸透するため、粘土鉱物１４の表面に油分が堆積して多孔質性が損なわれることを抑制でき、消音効果の劣化を抑制することができる。
【００２５】
なお、消音効果の劣化を抑制させる効果を持続させるためには、吸引した油煙が接触しにくい箇所に粘土鉱物１４を設置するのが望ましい。本実施の形態の場合、油煙は整流板５により主に前面側から流入し、吸込口４で十分に曲がりきれずに通風路７の内部では後面側へ偏って流れるため、粘土鉱物１４は油煙が接触しにくい通風路７の前面側に設置することが望ましい。
【００２６】
またなお、本実施の形態ではレンジフード１が空気を屋外に排気するとしたが、空気を室内に戻す循環型のレンジフード１でも同様の効果を得ることができる。
【００２７】
またなお、本実施の形態では消音効果を高めるフィードバック制御をするためにスピーカ１２により消音した効果を確認・修正するためのエラーマイクロホン１３を使用する構成としたが、エラーマイクロホン１３を使用しない演算制御方法を用いて、エラーマイクロホン１３を省略できる場合がある。
【００２８】
（実施の形態２）
実施の形態２において、実施の形態１と同様の構成要素については同一の符号を付し、その詳細な説明は省略する。
【００２９】
図２に示すように、通風路７を複数の小風路１５に分割する仕切り部材１６を備え、仕切り部材１６の材質が粘土鉱物１４であり、リファレンスマイクロホン１１、スピーカ１２、エラーマイクロホン１３が小風路１５それぞれに付設されている。
【００３０】
以上の構成により、通風路７を分割して構成される小風路１５それぞれの少なくとも一面を粘土鉱物１４にして消音効果の劣化を抑制することができ、また、小風路１５の口径が小さいため、高い周波数の音波でも通風路７を伝ぱする音波が平面波となって能動型消音装置の消音の対象にすることができ、消音できる周波数の範囲を広くすることができる。
【００３１】
（実施の形態３）
実施の形態３において、実施の形態１または２と同様の構成要素については同一の符号を付し、その詳細な説明は省略する。
【００３２】
図３に示すように、粘土鉱物１４を加熱する加熱手段としてヒーター１７を備えた構成にすることにより、粘土鉱物１４を加熱して粘土鉱物に浸透した油分が粘土鉱物１４内部で固化することを抑制し、下方に流出させることができるため、粘土鉱物１４の油分の浸透能力を維持することができ、長期にわたって消音効果の劣化を抑制することができる。
【産業上の利用可能性】
【００３３】
本発明にかかるレンジフードは、静音性が求められる家庭もしくは店舗用の排気設備として有用である。
【符号の説明】
【００３４】
１  レンジフード
２  吐出口
３  気流
４  吸込口
５  整流板
６  フード
７  通風路
８  送風機
９  壁面
１０  能動型消音装置
１１  リファレンスマイクロホン
１２  スピーカ
１３  エラーマイクロホン
１４  粘土鉱物
１５  小風路
１６  仕切り部材
１７  ヒーター
【図１】
2015025570.tif 000003
【図２】
2015025570.tif 000004
【図３】
2015025570.tif 000005
【図４】
2015025570.tif 000006